(57)【要約】【課題】公衆網に接続されるＰＢＸ装置を介した動作系とＣＴボード間の動作系との間のクロック同期を確認し得るコンピュータテレフォニー装置を提供する。【解決手段】ＰＢＸ装置に接続したＣＴボードによって公衆回線網を介した往復信号経路を形成しておいて、この往復信号経路を介した基準信号の送受信によって生ずる当該基準信号における変化に基づいて同期外れを確認する。【選択図】図１
2008236490.tif 000002
【特許請求の範囲】
【請求項１】
ＣＴバスを介して相互に接続されて各々が通信機能及び情報処理機能の少なくとも一方を発揮する複数のＣＴボードを含み、前記ＣＴボードのうちの少なくとも１つは公衆網に接続される構内交換機に接続されているＰＢＸボードであるコンピュータテレフォニー装置であって、
前記ＰＢＸボードは指令に応じて前記公衆網を介した往復信号路を形成し、
前記ＰＢＸボードに対して前記指令を供給すると共に前記往復信号路を経由して基準信号の送受信をなして前記基準信号において当該送受信によって生ずる変化に基づいて同期外れの検出をなす同期外れ検出部を含むことを特徴とするコンピュータテレフォニー装置。
【請求項２】
前記同期外れ検出部は、前記指令を電源投入時に少なくとも１回発することを特徴とする請求項１記載のコンピュータテレフォニー装置。
【請求項３】
前記同期外れ検出部は、前記指令を周期的に発することを特徴とする請求項１記載のコンピュータテレフォニー装置。
【請求項４】
前記基準信号は、アナログパルス信号であって、前記同期外れ検出部は、前記基準信号の当該送受信によって生ずる振幅、位相および波形変化のうちの少なくとも１つの変化の大きさに基づいて同期外れの検出をなすことを特徴とする請求項１記載のコンピュータテレフォニー装置。
【請求項５】
前記基準信号は、データ信号であって、前記同期外れ検出部は、前記基準信号の当該送受信によって生ずるデータ内容の変化に基づいて同期外れの検出をなすことを特徴とする請求項１記載のコンピュータテレフォニー装置。
【発明の詳細な説明】
【技術分野】
【０００１】
本発明は、情報処理機能と通信機能とが互いに連携している複数のＣＴボードを含むコンピュータテレフォニー装置に関する。
【背景技術】
【０００２】
複数のＣＴボードの情報処理機能と通信機能とを互いに連携させることによりサービスを提供するコンピュータテレフォニー装置が知られている。そのサービスの一例として、構内交換装置（ＰＢＸ Private Branch exchange 装置）から送信された発信者の電話番号をコンピュータに自動的に送信し、当該電話番号を条件としてコンピュータに記憶される顧客管理用のデータベース内の情報を検索し、その結果得られた発信者の氏名等の各種情報をコンピュータに接続されたディスプレイに表示することにより、オペレータが当該各種情報を簡単に確認できるようにするサービスが挙げられる。また、コンピュータテレフォニー装置に関する発明が特許文献１〜４に開示されている。
【０００３】
コンピュータテレフォニー装置は一般に、ＩＳＤＮ（Integrated Services Digital Network）インターフェース機能や内線電話インターフェース機能などの通信機能を有するボードと音声処理機機能やＦＡＸ処理機能などの情報処理機能を有するボードをＰＣＩ（Peripheral Component Interconnect）バスに実装することによって構成されている。以降、コンピュータテレフォニー装置を構成するこれらのボードをＣＴボード（Computer Telephony ボード）と呼ぶ。これらのＣＴボードは、ＥＣＴＦ（Enterprise Computer Telephony Forum）のH.100 Hardware Compatibility Specification:CT Busに規定されるＣＴバスインターフェース部を有しており、ＣＴバスを介して相互に接続される。
【特許文献１】特開２００１−３３９７４８号公報
【特許文献２】特開２００１−２９８７５９号公報
【特許文献３】特開平１１−３４６２６６号公報
【特許文献４】特開平１１−２８９３９０号公報
【発明の開示】
【発明が解決しようとする課題】
【０００４】
ＣＴバスの主要な信号として、クロック信号であるＣＴ＿Ｃ８と、同期信号であるＣＴ＿ＦＲＡＭＥと、ＣＴ＿Ｃ８と公衆回線網におけるクロック信号との同期を取るために用いられるＣＴ＿ＮＥＴＲＥＦと、データ信号であるＣＴ＿Ｄと、の４つの信号が挙げられる。複数搭載されるＣＴボードの内の１つがクロックマスタのＣＴボードとなり、ＣＴ＿Ｃ８とＣＴ＿ＦＲＡＭＥとを他のＣＴボードに供給する。
【０００５】
公衆網と接続するための外線の通信インターフェースとして例えばＩＳＤＮのようなデジタル回線を用いる場合、ＣＴ＿Ｃ８およびＣＴ＿ＦＲＡＭＥと公衆網におけるクロック信号（以降、網クロック信号と呼ぶ）とを同期させる必要がある。この同期はＣＴ＿ＮＥＴＲＥＦを用いることにより実現される。複数搭載されるＣＴボードの内の１つが網クロック信号に合わせてＣＴ＿ＮＥＴＲＥＦを他のＣＴボードにＣＴバスを介して送信する。クロックマスタのＣＴボードは、受信したＣＴ＿ＮＥＴＲＥＦを基準としてＣＴ＿Ｃ８およびＣＴ＿ＦＲＡＭＥを他のＣＴボードにＣＴバスを介して送信する。
【０００６】
公衆網に接続されるＰＢＸ装置とコンピュータテレフォニー装置とをデジタル回線を介して接続した場合、当該デジタル回線における信号（以降、デジタル信号と呼ぶ）が網クロック信号と同期していなければならない。これらの信号が同期していない場合、ＣＴ＿ＮＥＴＲＥＦと網クロック信号とが同期していないことになり、それに伴い、他のＣＴバス信号と網クロック信号とも同期しなくなる。その結果、音声通話信号にノイズが生じる、あるいは、ＦＡＸ通信においてエラーが発生するなどの問題が生じる。デジタル信号と網クロック信号とを同期させれば、これらの問題を回避できるが、そのためには、これらの信号が同期しているか否かを確認できなければならない。しかしながら、特許文献１〜４に開示される発明には、デジタル信号と網クロック信号とが同期しているか否かを確認する機構が含まれておらず、これらの信号が同期しているか否かを確認することが非常に困難であるという問題点があった。
【０００７】
本発明は、上記した如き問題点に鑑みてなされたものであって、公衆網に接続されるＰＢＸ装置を介した動作系とＣＴボード間の動作系との間のクロック同期を確認し得るコンピュータテレフォニー装置を提供することを目的とする。
【課題を解決するための手段】
【０００８】
本発明によるコンピュータテレフォニー装置は、ＣＴバスを介して相互に接続されて各々が通信機能及び情報処理機能の少なくとも一方を発揮する複数のＣＴボードを含み、前記ＣＴボードのうちの少なくとも１つは公衆網に接続される構内交換機に接続されているＰＢＸボードであるコンピュータテレフォニー装置であって、前記ＰＢＸボードは指令に応じて前記公衆網を介した往復信号路を形成し、前記ＰＢＸボードに対して前記指令を供給すると共に前記往復信号路を経由して基準信号の送受信をなして前記基準信号において当該送受信によって生ずる変化に基づいて同期外れ検出をなす同期外れ検出部を含むことを特徴とする。
【発明を実施するための最良の形態】
【０００９】
以下、本発明に係る実施例について説明する。
【００１０】
図１は、本発明であるコンピュータテレフォニー装置１００を、ＰＢＸ装置４００および公衆網５００と共に表すブロック図である。コンピュータテレフォニー装置１００内のＰＢＸボード１２０は、ＰＢＸ装置４００とＩＳＤＮ回線３１０を介して接続される。ＰＢＸ装置４００は、公衆網５００とＩＳＤＮ回線３２０を介して接続される。また、コンピュータテレフォニー装置１００内のＩＳＤＮボード１１０は、公衆網５００とＩＳＤＮ回線３３０を介して接続される。ＩＳＤＮ回線３１０と、ＩＳＤＮ回線３２０と、ＩＳＤＮ回線３１０は、国際電気通信連合（ＩＴＵ−ＴＳ）によって標準化されたデジタル通信の国際標準規格であるＩＳＤＮ（Integrated Services Digital Network）規格に準拠した信号（以降、ＩＳＤＮ信号と呼ぶ）を伝送するデジタル回線である。
【００１１】
ＰＢＸ装置４００は、ＰＢＸ（Private Branch exchange）装置（構内交換機）であり、コンピュータテレフォニー装置１００と公衆網５００との間で送受信される信号を中継する。公衆網５００は、網クロック信号（図示せず）を基準として信号が伝送される公衆用の電話回線網である。
【００１２】
コンピュータテレフォニー装置１００は、ＩＳＤＮボード１１０と、ＰＢＸボード１２０と、同期外れ検出ボード１３０と、情報処理ボード１４０と、内線用ボード１５０とを含む。これらのボードを総称して、ＣＴボードと呼ぶ。ＣＴボードは、ＰＣＩ ＳＩＧ（PCI Special Interest Group）により策定されているＰＣＩ（Peripheral Component Interconnect）規格に準拠するＰＣＩインターフェース部（図示せず）を含み、コンピュータテレフォニー装置１００内に含まれるＰＣＩバス（図示せず）に実装される。
【００１３】
ＩＳＤＮボード１１０は、ＩＳＤＮＩ／Ｆ１１１と、ＣＴバスＩ／Ｆ１１２とを含む。ＩＳＤＮボード１１０は、ＩＳＤＮ規格に準拠した通信機能を有するＣＴボードであり、ＩＳＤＮＩ／Ｆ１１１がＩＳＤＮ信号を送受信する。ＩＳＤＮＩ／Ｆ１１１は、ＩＳＤＮ回線３３０を介して公衆網５００と接続される。
【００１４】
ＣＴバスＩ／Ｆ１１２は、ＥＣＴＦ（Enterprise Computer Telephony Forum）のＨ．１００に規定されるＣＴバスインターフェース部であり、ＥＣＴＦのＨ．１００に規定される信号を送受信する。ＩＳＤＮＩ／Ｆ１１１は、ＩＳＤＮＩ／Ｆ１１１が受信した信号をＣＴバスＩ／Ｆ１１２に与えることができる。また、ＣＴバスＩ／Ｆ１１２は、ＣＴバスＩ／Ｆ１１２が受信した信号をＩＳＤＮＩ／Ｆ１１１に与えることができる。
【００１５】
ＰＢＸボード１２０は、ＩＳＤＮＩ／Ｆ１２１と、ＣＴバスＩ／Ｆ１２２とを含む。ＰＢＸボード１２０は、ＩＳＤＮ規格に準拠した通信機能を有するＣＴボードであり、ＩＳＤＮＩ／Ｆ１２１がＩＳＤＮ信号を送受信する。ＣＴバスＩ／Ｆ１２２は、ＥＣＴＦのＨ．１００に規定されるＣＴバスインターフェース部であり、ＥＣＴＦのＨ．１００に規定される信号を送受信する。ＩＳＤＮＩ／Ｆ１２１は、ＩＳＤＮ回線３１０を介してＰＢＸ装置４００と接続される。ＩＳＤＮＩ／Ｆ１２１は、ＩＳＤＮＩ／Ｆ１２１が受信した信号をＣＴバスＩ／Ｆ１２２に与えることができる。また、ＣＴバスＩ／Ｆ１２２は、ＣＴバスＩ／Ｆ１２２が受信した信号をＩＳＤＮＩ／Ｆ１２１に与えることができる。
【００１６】
同期外れ検出ボード１３０は、同期外れ検出部１３１と、ＣＴバスＩ／Ｆ１３６とを含む。ＣＴバスＩ／Ｆ１３６は、ＥＣＴＦのＨ．１００に規定されるＣＴバスインターフェース部であり、ＥＣＴＦのＨ．１００に規定される信号を送受信する。同期外れ検出部１３１は、モデム信号送出部１３２と、モデム信号受信部１３３と、モデムデータ比較部１３４と、指令部１３５とを含む。指令部１３５は、公衆網５００を介した往復信号路を形成するように、ＰＸＢボード１２０に指令を供給する。この指令は、ＣＴ＿ＭＣ（Ｍｅｓｓａｇｅ  Ｃｈａｎｎｅｌ）信号線２５０を介して、ＰＸＢボード１２０に供給される。
【００１７】
モデム信号送出部１３２は、ＣＴバスＩ／Ｆ１３６に基準信号１を与える。また、モデム信号送出部１３２は、モデムデータ比較部１３４に基準信号１と同一の基準信号である基準信号０を与える。この基準信号０は、ＣＴバスなどを介さずに、同期外れ検出部１３１内において直接、モデムデータ比較部１３４に与えられる。例えば、基準信号０および基準信号１は、正弦波信号またはデータ信号である。
【００１８】
モデム信号受信部１３３は、基準信号１をＣＴバスＩ／Ｆ１３６から受け取り、これをモデムデータ比較部１３４に与える。ここで、モデム信号受信部１３３が受け取る基準信号１は、モデム信号送出部１３２がＣＴバスＩ／Ｆ１３６に与えた基準信号１が、ＣＴ＿Ｄ信号線２４０と、ＰＸＢボード１２０と、ＩＳＤＮ回線３１０と、ＰＢＸ装置４００と、ＩＳＤＮ回線３２０と、公衆網５００とを介して、ＣＴバスＩ／Ｆ１３６に戻ってきた基準信号１である。
【００１９】
モデムデータ比較部１３４は、モデム信号送出部１３２から受け取った基準信号０とモデム信号受信部１３３から受け取った基準信号１とを比較することにより、基準信号１に生じる変化の量を得る。モデムデータ比較部１３４は、この変化の量を基に、同期が外れているか否かを判別する。基準信号０および基準信号１が正弦波信号である場合、両信号の比較の方法として、次の方法が挙げられる。基準信号０の位相と基準信号１と位相との変化を検出する。所定の時間内に、規定値回数以上の位相変化を検出したら、モデムデータ比較部１３４（：図１）は同期が外れていると判断する。基準信号０および基準信号１が、データ信号である場合、両信号の比較の方法として、次の方法が挙げられる。これら両信号を構成するバイナリビット列の各々のビットを比較し、一致しないビットの数があらかじめ定められた規定数よりも大きい場合に、モデムデータ比較部１３４は同期が外れていると判断する、すなわち、同期外れを検出する。
【００２０】
情報処理ボード１４０は、情報処理部１４１と、ＣＴバスＩ／Ｆ１４２とを含む。情報処理ボード１４０は、情報処理機能を有するＣＴボードであり、情報処理部１４１が情報処理機能を有する。情報処理機能とは、例えば、音声処理機能やＦＡＸ処理機能などである。ＣＴバスＩ／Ｆ１４２は、ＥＣＴＦのＨ．１００に規定されるＣＴバスインターフェース部であり、ＥＣＴＦのＨ．１００に規定される信号を送受信する。ＣＴバスＩ／Ｆ１４２は、ＣＴバスＩ／Ｆ１４２が受信した信号を情報処理部１４１に与えることができる。また、情報処理部１４１は、情報処理部１４１が処理した信号をＣＴバスＩ／Ｆ１４２に与えることができる。
【００２１】
内線用ボード１５０は、内線Ｉ／Ｆ１５１と、ＣＴバスＩ／Ｆ１５２とを含む。内線用ボード１５０は、通信機能を有するＣＴボードであり、内線Ｉ／Ｆ１５１が、内線用の回線に接続される電話機（図示せず）と接続される。ＣＴバスＩ／Ｆ１５２は、ＥＣＴＦのＨ．１００に規定されるＣＴバスインターフェース部であり、ＥＣＴＦのＨ．１００に規定される信号を送受信する。ＣＴバスＩ／Ｆ１５２は、ＣＴバスＩ／Ｆ１５２が受信した信号を内線Ｉ／Ｆ１５１に与えることができる。また、内線Ｉ／Ｆ１５１は、内線Ｉ／Ｆ１５１が受診した信号をＣＴバスＩ／Ｆ１５２に与えることができる。なお、通信機能または情報処理機能を有するＣＴボードは、図１に図示される以外にもコンピュータテレフォニー装置１００内に含まれていても良い。
【００２２】
コンピュータテレフォニー装置１００は、ＣＴ＿Ｃ８信号線２１０と、ＣＴ＿ＦＲＡＭＥ信号線２２０と、ＣＴ＿ＮＥＴＲＥＦ信号線２３０と、ＣＴ＿Ｄ信号線２４０とを含む。これらの信号線を総称してＣＴバスと呼ぶ。ＣＴ＿Ｃ８信号線２１０には、ＣＴバスにおけるクロック信号であるＣＴ＿Ｃ８が伝送される。ＣＴ＿ＦＲＡＭＥ信号線２２０には、同期信号であるＣＴ＿ＦＲＡＭＥが伝送される。ＣＴ＿ＮＥＴＲＥＦ信号線２３０には、ＣＴ＿Ｃ８と網クロック信号との同期を取るために用いられる信号であるＣＴ＿ＮＥＴＲＥＦが伝送される。ＣＴ＿Ｄ信号線２４０には、音声信号が伝達される。ＣＴ＿ＭＣ信号線２５０には、指令を伝達する信号が伝達される。これらの信号は、ＥＣＴＦのＨ．１００に規定される信号である。
【００２３】
ＣＴバスＩ／Ｆ１１１、ＣＴバスＩ／Ｆ１２１、ＣＴバスＩ／Ｆ１３６、ＣＴバスＩ／Ｆ１４１、およびＣＴバスＩ／Ｆ１５１は、ＣＴバスであるＣＴ＿Ｃ８信号線２１０、ＣＴ＿ＦＲＡＭＥ信号線２２０、ＣＴ＿ＮＥＴＲＥＦ信号線２３０、ＣＴ＿Ｄ信号線２４０、およびＣＴ＿ＭＣ信号線２５０に接続される。ここでは、ＩＳＤＮボード１１０がクロックマスタのＣＴボードとなり、ＣＴ＿Ｃ８とＣＴ＿ＦＲＡＭＥを他のＣＴボードに送信する。ＰＸＢボード１２０がＣＴ＿ＮＥＴＲＥＦを他のＣＴボードに送信する。ＩＳＤＮボード１１０は、受信したＣＴ＿ＮＥＴＲＥＦを基準としてＣＴ＿Ｃ８およびＣＴ＿ＦＲＡＭＥを送信している。ＣＴ＿Ｃ８およびＣＴ＿ＦＲＡＭＥと網クロック信号とは同期して伝送されるべき信号であるが、ＣＴ＿Ｃ８およびＣＴ＿ＦＲＡＭＥはＣＴ＿ＮＥＴＲＥＦを基準として送信されるため、ＣＴ＿ＮＥＴＲＥＦと網クロックとが同期していなければならない。また、ＣＴ＿ＮＥＴＲＥＦと網クロックとが同期するためには、ＣＴ＿ＮＥＴＲＥＦを送信するＰＸＢボード１２０とＰＢＸ装置４００とを接続するＩＳＤＮ３１０に伝送されるＩＳＤＮ信号と網クロックとが同期していなければならない。本実施例においては、ＩＳＤＮ信号と網クロックとが同期していない状態、すなわち、ＣＴ＿Ｃ８およびＣＴ＿ＦＲＡＭＥと網クロックとが同期していない状態のことを、同期外れと呼ぶ。
【００２４】
以降、コンピュータテレフォニー装置１００が実行する処理について説明する。
【００２５】
コンピュータテレフォニー装置１００に電源が投入されると、指令部１３５が、ＰＸＢボード１２０に対して、公衆網５００を介した往復信号路を形成するように指令を供給する。この指令は、ＣＴ＿ＭＣ信号線２５０を介して、ＰＸＢボード１２０に供給される。これに応じてＩＳＤＮＩ／Ｆ１２１が、公衆網５００経由で、自身すなわちＩＳＤＮＩ／Ｆ１２１に発信する。一般にＩＳＤＮの回線には、ＢＲＩ（Basic Rate Interface：基本インターフェース）とＰＲＩ（Primary Rate Interface：一次群インターフェース）の２種類ある。ＢＲＩは、２つのＢチャネル（データ通信用チャネル）と１つのＤチャネル（通信・制御用チャネル）とを有する（２Ｂ＋Ｄ方式）。ＰＲＩには、２３のＢチャネル（データ通信用チャネル）と１つのＤチャネル（通信・制御用チャネル）とを有する２３Ｂ＋Ｄ方式などがある。ＢＲＩおよびＰＲＩのいずれにおいても２チャネル以上を有するので、これら複数あるチャネルの内、１つのチャネルを用いて発信し、他の１つのチャネルで着信することができる。本実施例においては、ＩＳＤＮ回線３１０にこれらのチャネルが多重化されている。本実施例においては、チャネル１で発信し、チャネル２で着信することとする。このとき、チャネル１とチャネル２は通話状態となり、公衆網５００を介した往復信号路が形成される。
【００２６】
次に、モデム信号送出部１３２は、基準信号１をＣＴバスＩ／Ｆ１３６に与える。ＣＴバスＩ／Ｆ１３６は、当該基準信号１をＰＸＢボード１２０に送信する。このとき、基準信号１はＣＴ＿Ｄ信号線２４０を経由してＰＸＢボード１２０のＣＴバスＩ／Ｆ１２２に送信される。ＣＴバスＩ／Ｆ１２２は受信した基準信号１をＩＳＤＮＩ／Ｆ１２１に与える。続いて、ＩＳＤＮＩ／Ｆ１２１のチャネル１は、受け取った基準信号１をＰＢＸ装置４００に送信する。このとき、基準信号１はＩＳＤＮ回線３１０を経由してＰＢＸ装置４００に送信される。ＰＢＸ装置４００に受信された基準信号１は、ＩＳＤＮ回線３２０を介して公衆網５００に送信され、ＩＳＤＮ回線３２０を介して公衆網５００からＰＢＸ装置４００に折り返し受信される。
【００２７】
ＩＳＤＮＩ／Ｆ１２１のチャネル１と通話状態にあるＩＳＤＮＩ／Ｆ１２１のチャネル２は、公衆網５００からＰＢＸ装置４００に折り返し受信された基準信号１を受信する。このとき、基準信号１はＩＳＤＮ回線３１０を経由してＩＳＤＮＩ／Ｆ１２１のチャネル２に受信される。ＩＳＤＮＩ／Ｆ１２１は、受信した基準信号１をＣＴバスＩ／Ｆ１２２に与える。ＣＴバスＩ／Ｆ１２２は、受け取った基準信号１をＣＴバスＩ／Ｆ１３６に送信する。このとき、基準信号１はＣＴ＿Ｄ信号線２４０を経由してＣＴバスＩ／Ｆ１３６に送信される。続いて、ＣＴバスＩ／Ｆ１３６は、受信した基準信号１をモデム信号受信部１３３に与える。上記したモデム信号送出部１３２からモデム信号受信部１３３に至るまでに基準信号１が辿る経路は図１中に点線で表される。
【００２８】
次に、モデム信号受信部１３３はＣＴバスＩ／Ｆ１３６から受け取った基準信号１をモデムデータ比較部１３４に与える。また、モデム信号送出部１３２は、ＣＴバスＩ／Ｆ１３６に与えた基準信号１と同一の基準信号である基準信号０をモデムデータ比較部１３４に与える。続いて、モデムデータ比較部１３４は、基準信号０と基準信号１とを比較する。
【００２９】
一例として、図２および図３を用いて説明する。図２には、正弦波信号をベースとした基準信号０［６０１］と基準信号１［６０２］が示されている。但し、基準信号１［６０２］の波形は、波形領域［６０３］において、波形の欠落があるものとする。
【００３０】
モデムデータ比較部１３４（：図１）は、基準信号０［６０１］の位相が３６０度となる時間Ｔ１［６０４］のときに基準信号２［６０２］の位相が３６０度のあたり（例えば３５９度〜３６１度の間）となるかを判断する。また、モデムデータ比較部１３４（：図１）は、基準信号０［６０１］の位相が７２０度となる時間Ｔ２［６０５］のときに基準信号２［６０２］の位相が７２０度のあたり（例えば７１９度〜７２１度の間）となるかを判断する。
【００３１】
時間Ｔ１［６０４］のときに、基準信号２［６０２］の位相は３６０度のあたりとならないので、モデムデータ比較部１３４（：図１）は１回目の位相変化を検出する。さらに、時間Ｔ２［６０５］のときに、基準信号２［６０２］の位相は７２０度のあたりとならないので、モデムデータ比較部１３４（：図１）は２回目の位相変化を検出する。ここで、所定の時間として位相検出を２回行なう時間ΔＴ［６０６］とし、規定値回数として２回とするならば、モデムデータ比較部１３４（：図１）は同期が外れていると判断する。
【００３２】
また図３には、正弦波信号をベースとした基準信号０［６１１］と基準信号１［６１２］が示されている。但し、基準信号１［６１２］の波形は、波形領域［６１３］において、波形の間延びがあるものとする。
【００３３】
モデムデータ比較部１３４（：図１）は、基準信号０［６０１］の位相が３６０度となる時間Ｔ３［６１４］のときに基準信号２［６０２］の位相が３６０度のあたり（例えば３５９度〜３６１度の間）となるかを判断する。また、モデムデータ比較部１３４（：図１）は、基準信号０［６０１］の位相が７２０度となる時間Ｔ４［６１５］のときに基準信号２［６０２］の位相が７２０度のあたり（例えば７１９度〜７２１度の間）となるかを判断する。さらに、基準信号０［６０１］の位相が１０８０度となる時間Ｔ５［６１６］のときに基準信号２［６０２］の位相が１０８０度のあたり（例えば１０７９度〜１０８１度の間）となるかを判断する。
【００３４】
時間Ｔ３［６１４］のときに、基準信号２［６１２］の位相は３６０度のあたりとなるので、モデムデータ比較部１３４（：図１）は同期が外れていないと判断する。時間Ｔ４［６１５］のときに、基準信号２［６１２］の位相は７２０度のあたりとならないので、モデムデータ比較部１３４（：図１）は１回目の位相変化を検出する。さらに、時間Ｔ５［６１６］のときに、基準信号２［６１２］の位相は１０８０度のあたりとならないので、モデムデータ比較部１３４（：図１）は２回目の位相変化を検出する。ここで、所定の時間として位相検出を２回行なう時間ΔＴ［６１７］とし、規定値回数として２回とするならば、モデムデータ比較部１３４（：図１）は同期が外れていると判断する。
【００３５】
上記した如き処理により、本発明であるコンピュータテレフォニー装置１００によれば、同期外れの検出が可能である。同期外れの検出結果は、通信情報処理装置に接続されたモニタ（図示せず）などに出力することもできる。出力された結果を確認することで、確認者はこれらの信号が同期しているか否かを知ることができる。また、同期外れの検出結果を信号の同期を調整する機能を有する回路（図示せず）にフィードバックし、これらの信号の同期を調整することにも応用できる。なお、指令部１３５は、公衆網５００を介した往復信号路を形成するように、ＰＸＢボード１２０に周期的に指令を発することもできる。また、ＣＴボードが同期外れ検出部１３１に、同期外れ確認を要求することもある。同期外れ確認を要求する契機としては、例えば、次の３つが挙げられる。（１）電源投入後、ＣＴボードの初期化が完了したとき。（２）ＣＴボードにＩＳＤＮケーブルが接続されたとき。（３）ＣＴボードにＩＳＤＮ［３１０］から、網が端末から送出されるフレームに異常を検出した場合に網から送出されるレイヤ１における警報を示すＲＡＩ（対局警報表示）を受信したとき。
【００３６】
上記した如く、本発明によれば、公衆網に接続されるＰＢＸ装置を介した動作系とＣＴボード間の動作系との間のクロック同期を確認することが可能である。
【図面の簡単な説明】
【００３７】
【図１】コンピュータテレフォニー装置をＰＢＸ装置および公衆網と共に表すブロック図である。
【図２】基準信号０および基準信号１が正弦波信号である場合の両信号の一例（その１）を示した図である。
【図３】基準信号０および基準信号１が正弦波信号である場合の両信号の一例（その２）を示した図である。
【符号の説明】
【００３８】
１００  コンピュータテレフォニー装置
１１０  ＩＳＤＮボード
１１１  ＩＳＤＮＩ／Ｆ
１１２  ＣＴバスＩ／Ｆ
１２０  ＰＢＸボード
１２１  ＩＳＤＮＩ／Ｆ
１２２  ＣＴバスＩ／Ｆ
１３０  同期外れ検出ボード
１３１  同期外れ検出部
１３２  基準信号送出部
１３３  基準信号受信部
１３４  評価部
１３５  指令部
１３６  ＣＴバスＩ／Ｆ
１４０  情報処理ボード
１４１  情報処理部
１４２  ＣＴバスＩ／Ｆ
１５０  内線用ボード
１５１  内線Ｉ／Ｆ
１５２  ＣＴバスＩ／Ｆ
２１０  ＣＴ＿Ｃ８信号線
２２０  ＣＴ＿ＦＲＡＭＥ信号線
２３０  ＣＴ＿ＮＥＴＲＥＦ信号線
２４０  ＣＴ＿Ｄ信号線
２５０  ＣＴ＿ＭＣ信号線
３１０  ＩＳＤＮ回線
３２０  ＩＳＤＮ回線
３３０  ＩＳＤＮ回線
４００  ＰＢＸ装置
５００  公衆網
【図１】
2008236490.tif 000003
【図２】
2008236490.tif 000004
【図３】
2008236490.tif 000005